(57)【要約】【課題】  内容器の交換時に、蓋体からの支持体の取り外しをスムーズに行えるようにし、内容器の交換作業を容易した詰め替え容器を得る。【解決手段】内容物の消尽時に交換される内容器２と、内容器２の底部３を支え内容器２を起立状に支持する支持体４と、支持体４に支持された内容器２の外周に上部から嵌合して内部に内容器を収納するとともに支持体４に嵌合する筒状の蓋体５とを備え、支持体４は、筒状脚部９を有する上げ底状の支持台部１０と、支持台部１０の底板１１の上面に設けられ、内容器２の底部３を支持する支持枠部１２とからなり、支持台部１０には支持体４に嵌合した蓋体５の開口端２０が掛止する掛止段部１５が形成されている詰め替え容器１であって、支持体４における支持台部１０の底板１１の裏面に、引き抜き用摘まみ部１６を設けた。【選択図】    図１
2020029276.tif 000002
【特許請求の範囲】
【請求項１】
内部に内容物を収容し、内容物の消尽時に交換される内容器と、前記内容器の底部を支え前記内容器を起立状に支持する支持体と、前記支持体に支持された前記内容器の外周に上部から嵌合して内部に前記内容器を収納するとともに、前記支持体に嵌合する筒状の蓋体とを備え、前記支持体は、筒状脚部を有する上げ底状の支持台部と、前記支持台部の底板の上面に設けられ、前記内容器の底部を支持する支持枠部とからなり、前記支持台部には前記支持体に嵌合した前記蓋体の開口端が掛止する掛止段部が形成されている詰め替え容器であって、
前記支持体における前記支持台部の前記底板の裏面に、引き抜き用摘まみ部を設けたことを特徴とする詰め替え容器。
【請求項２】
前記引き抜き用摘まみ部は、底板の裏面から鉛直方向に突出する板状体からなることを特徴とする請求項１に記載の詰め替え容器。
【請求項３】
前記板状体は、前記底板の概ね中央を２分して両端が前記支持台部の筒状脚部の内壁面に繋がるように配置されていることを特徴とする請求項２に記載の詰め替え容器。
【請求項４】
前記板状体は、板面に凸状或いは凹状の滑り止め用掛止部が設けられていることを特徴とする請求項２または３のいずれか１項に記載の詰め替え容器。
【発明の詳細な説明】
【技術分野】
【０００１】
本発明は、化粧品や洗剤などの液状の内容物の詰め替えが可能な詰め替え容器に関する。
【背景技術】
【０００２】
化粧品や洗剤などの液状の内容物の詰め替えが可能な詰め替え容器として、本出願人は、内部に内容物を収容し、内容物の消尽時に交換される内容器と、内容器の底部を支え内容器を起立状に支持する支持体と、支持体に支持された内容器の外周に上部から嵌合して内部に内容器を収納するとともに、その先端部を前記支持体に嵌合する筒状の蓋体とを備えた詰め替え容器を提案している（例えば、特許文献１参照。）。
【０００３】
特許文献１に記載されている詰め替え容器は、内容物を消尽したら、蓋体から支持体を引き抜くようにして取り外し、蓋体の開口部から指を差し込んで蓋体内に残っている内容器の底部を掴み、蓋体から内容器を引き出し、そして、支持体に新しい内容器を支持させ、蓋体を支持体に支持された内容器の外周に上部から嵌合して内部に内容器を収納するとともに、その先端部を支持体に嵌合して内容器の交換を行っている。
【先行技術文献】
【特許文献】
【０００４】
【特許文献１】特開２０１８−５２６１１号公報
【発明の概要】
【発明が解決しようとする課題】
【０００５】
特許文献１に記載されている詰め替え容器では、支持体と蓋体との嵌合部が圧接するようになっており、圧接する嵌合部の摩擦力は、支持する内容器の重さで支持体が蓋体から容易に抜け落ちないように、内容器の重さに耐える大きな摩擦力となっている。
このため、内容器の交換時に、蓋体から支持体の取り外しは、蓋体から露出している支持体の支持台部を両側から挟むようにして掴み、蓋体から引き抜くようにして行っているが、支持体と蓋体との嵌合部の摩擦力が大きい上に、支持台部の掴む範囲が狭くまた滑り易く支持体へ強い引き抜き力が掛け難いため、蓋体からの支持体の取り外しがスム−ズに行えず、内容器の交換作業を面倒にしているといった問題があった。
【０００６】
本発明の目的は、内容器の交換時に、蓋体からの支持体の取り外しをスムーズに行えるようにし、内容器の交換作業を容易にした詰め替え容器を提供することにある。
【課題を解決するための手段】
【０００７】
上記の目的を達成するために、請求項１に記載の発明は、内部に内容物を収容し、内容物の消尽時に交換される内容器と、前記内容器の底部を支え前記内容器を起立状に支持する支持体と、前記支持体に支持された前記内容器の外周に上部から嵌合して内部に前記内容器を収納するとともに、前記支持体に嵌合する筒状の蓋体とを備え、前記支持体は、筒状脚部を有する上げ底状の支持台部と、前記支持台部の底板の上面に設けられ、前記内容器の底部を支持する支持枠部とからなり、前記支持台部には前記支持体に嵌合した前記蓋体の開口端が掛止する掛止段部が形成されている詰め替え容器であって、前記支持体における前記支持台部の前記底板の裏面に、引き抜き用摘まみ部を設けたことを特徴とする。
【０００８】
請求項１に記載の発明によれば、前記支持体における前記支持台部の前記底板の裏面に、引き抜き用摘まみ部を設けたので、内容器の交換時に、前記底板の裏面に設けられている引き抜き用摘まみ部を摘まむことにより、前記支持体にしっかりと摘まみ力を伝えることができ、引き抜き用摘まみ部を引き抜き方向へ引っ張ることにより、前記蓋体から前記支持体をスムーズに引き抜き、取り外すことができる。
【０００９】
請求項２に記載の発明は、請求項１に記載の、前記引き抜き用摘まみ部は、底板の裏面から鉛直方向に突出する板状体からなることを特徴とする。
【００１０】
請求項２に記載の発明によれば、前記引き抜き用摘まみ部は、底板の裏面から鉛直方向に突出する板状体からなるので、摘まみやすく、力を入れて引きやすいので、前記蓋体からの前記支持体の取り外しを容易に行うことができる。
【００１１】
請求項３に記載の発明は、請求項２に記載の、前記板状体は、前記底板の概ね中央を２分して両端が前記支持台部の筒状脚部の内壁面に繋がるように配置されていることを特徴とする。
【００１２】
請求項３に記載の発明によれば、前記板状体は、前記底板の概ね中央を２分して両端が前記支持台部の筒状脚部の内壁面に繋がるように配置されているので、前記引き抜き用摘まみ部を掴んで引き抜き方向へ引っ張ったときの前記支持台部に及ぼす力は、前記板状体の左右側のいずれか一側に偏らず前記支持台部の全体に及ぶことになり、前記蓋体から前記支持体を一層スムーズに引き抜くことができる。
【００１３】
請求項４に記載の発明は、請求項２または３のいずれか１項に記載の、前記板状体は、板面に凸状或いは凹状の滑り止め用掛止部が設けられていることを特徴とする。
【００１４】
請求項４に記載の発明によれば、前記板状体は、板面に凸状或いは凹状の滑り止め用掛止部が設けられているので、前記引き抜き用摘まみ部を掴んで引き抜き方向へ引っ張ったとき、前記引き抜き用摘まみ部を掴んだ指が前記滑り止め用掛止部に掛かり、前記引き抜き用摘まみ部を軽い力で掴んでも前記引き抜き用摘まみ部に引き抜き力を伝達することができることになり、前記蓋体から前記支持体を容易に取り外すことができる。
【発明の効果】
【００１５】
本発明に係る詰め替え容器によれば、内容器の交換時に、蓋体からの支持体の取り外しをスムーズにすることができ、内容器の交換作業を容易に行うことができる。
【図面の簡単な説明】
【００１６】
【図１】本発明に係る詰め替え容器の実施の形態の一例を示す分解断面図である。
【図２】図１に示す支持体の拡大斜視図である。
【図３】図１に示す詰め替え容器における内容器を支持させた支持体に蓋体を嵌合した状態を示す断面図である。
【図４】蓋体から支持体を取り外す状態を示す説明図である。
【発明を実施するための形態】
【００１７】
以下、本発明に係る詰め替え容器の実施の形態の一例を図面を参照して詳細に説明する。
図１乃至図４は本発明に係る詰め替え容器の実施の形態の一例を示し、図１は本発明に係る詰め替え容器の実施の形態の分解断面図、図２は図１に示す支持体の拡大斜視図、図３は図１に示す詰め替え容器における内容器を支持させた支持体に蓋体を嵌合した状態を示す断面図、図４は蓋体から支持体を取り外す状態を示す説明図である。
【００１８】
本例の詰め替え容器１は、内部に内容物を収容し、内容物の消尽時に交換される内容器２と、内容器２の底部３を支え内容器２を支持する支持体４と、支持体４に支持された内容器２の外周に上部から嵌合して内部に内容器２を収納するとともに、支持体４に嵌合する筒状の蓋体５とを備えている。
【００１９】
内容器２にあっては、上面部に破断可能な封止シート６で封止された吸い出し口７を有し、胴部８の断面形状が四角形となっている。また、底部３は中心を最深部とする錐形に形成されている。
なお、本例の内容器２は断面形状が四角形となっているが、四角形以外の多角形、円形、楕円形であってもよい。
【００２０】
支持体４にあっては、筒状脚部９を有する上げ底状の支持台部１０と、支持台部１０の底板１１の上面に設けられ、内容器２の底部３を起立状に支持する支持枠部１２とからなる。
本例では、支持枠部１２の形状は、上部を内容器２の底部３を収納する収納口１３とし、内容器２の底部３が支持枠部１２の内部に納まる形状となっており、内容器２の胴部８の外形に応じた形状に形成されている。また、本例の支持枠部１２は、支持台部１０の底板１１の上面に、内容器２の外面を支持する支持枠片１４を間隔を空けて内容器２の胴部８の４つの角部に沿うように立設した構成となっている。
【００２１】
なお、本例では支持枠部１２は４つの支持枠片１４で構成されているが、内容器２の底部３を収納可能な筒状体であってもよく、内容器２の底部３を起立状に支持できるものであれば、その形状に特に限定されない。
【００２２】
また、支持台部１０には、支持台部１０に嵌合した蓋体５の後述する開口端が掛止する掛止段部１５が形成されている。本例では、支持台部１０の底板１１が支持枠部１２よりも大径に形成されており、底板１１における支持枠部１２の外側の面が掛止段部１５となっている。
【００２３】
このように構成された支持体４における支持台部２の底板１１の裏面には、引き抜き用摘まみ部１６が設けられている。
【００２４】
本例では、引き抜き用摘まみ部１６は、底板１１の裏面から鉛直方向に突出する板状体１７からなっている。板状体１７の厚さは特に限定されないが、指で摘まんだとき容易に曲がらず、引っ張っても容易に破断しない強度が得られる厚さであることを要する。また、底板１１の裏面から突出する板状体１７の突出長は、少なくとも指で掴める長さを有し且つ、支持台部１０の筒状脚部９の外に出ない長さであることを要する。
【００２５】
また、本例では、引き抜き用摘まみ部１６となる板状体１７は、底板１１の概ね中央を２分して両端が支持台部の筒状脚部９の内壁面に繋がるように配置されている。
【００２６】
また、本例では、板状体１７の板面に、凸状或いは凹状の滑り止め用掛止部１８が設けられている。
本例では、滑り止め用掛止部１８は、板状体１７の板面に鉛直方向に形成された溝となっているが、これに限定されるものではなく、後述するように、引き抜き用摘まみ部１６となる板状体１７を両側から指で摘まんで引き抜き方向へ引っ張ったとき、指が滑り止め用掛止部１８に掛かり、引き抜き用摘まみ部１６に引き抜き力を伝達することができるものであればよい。例えば、板状体１７の板面にエンボスや、梨地加工したものあってもよい。
【００２７】
蓋体５にあっては、本例の蓋体５は、支持体４に支持された内容器２の外周に上部から嵌合して内部に内容器２を収納する筒壁部１９を備えている。
本例では、筒壁部１９は支持体４に支持された内容器２の外周に嵌合するとともに、支持体４の支持台部１０の支持枠部１２の外周に嵌合し、その開口端２０が支持台部１０の底板１１に形成された掛止段部１５に掛止するようになっている。
【００２８】
本例では蓋体５に、支持体４に支持された内容器２内の内容物を吸い込み外部へ吐出する注出ポンプ２１が備えられている。注出ポンプ２１は、筒状シリンダ部２２と、筒状シリンダ部２２の上部に設けられ、筒状シリンダ部２２内に摺動自在に嵌合するピストンの操作部を兼ねる注出ノズル２３と、筒状シリンダ部２２の下部に設けられた吸い込み管２４で構成されている。筒状シリンダ部２２は蓋体５の天板部２５に貫通して固定され、天板部２５の上面側に注出ノズル２３が配置され、天板部２５の下面側に吸い込み管２４が配置されている。
【００２９】
そして、支持体４の支持台部１０に設けられた支持枠部１２の外周に蓋体５の筒壁部１９を嵌合したとき、蓋体５の天板部２５の下面側に配置されている吸い込み管２４が内容器２の上面部に有する封止シート６を破断して吸い出し口７から内容器２内へ挿入されるようになっている。
【００３０】
このように構成された詰め替え容器１によれば、支持体４における支持台部１０の底板１１の裏面に、引き抜き用摘まみ部１６を設けているので、内容器２の交換時、蓋体５に嵌合している支持体４を取り外す際に、支持体４における支持台部１０の底板１１の裏面に設けられている引き抜き用摘まみ部１６を摘まむことにより、支持体４にしっかりと摘まみ力を伝えることができ、引き抜き用摘まみ部１６を引き抜き方向へ引っ張ることにより、蓋体５から支持体４をスムーズに引き抜き、取り外すことができる。
【００３１】
本例では、引き抜き用摘まみ部１６は底板１１の裏面から鉛直方向に突出する板状体１７となっているので、摘まみやすく、力を入れて引きやすい。
【００３２】
また、本例では、板状体１７は、底板１１の中央を２分して両端が支持台部１０の筒状脚部９の内壁面に繋がるように配置されているので、引き抜き用摘まみ部１６となる板状体１７を掴んで引き抜き方向へ引っ張ったときの支持台部１０に及ぼす力は、板状体１７の左右側のいずれか一側に偏らず支持台部１０の全体に及ぶことになり、蓋体５から支持体４を一層スムーズに引き抜くことができる。
【００３３】
また、本例では、板状体１７の板面に凸状或いは凹状の滑り止め用掛止部１８が設けられているので、引き抜き用摘まみ部１６となる板状体１７を掴んで引き抜き方向へ引っ張ったとき、板状体１７を掴んだ指が滑り止め用掛止部１８に掛かり、板状体１７を軽い力で掴んでも板状体１７に引き抜き力を伝達することができることになり、蓋体５から支持体４を容易に取り外すことができる。
【符号の説明】
【００３４】
１  詰め替え容器
２  内容器
３  底部
４  支持体
５  蓋体
６  封止シート
７  吸い出し口
８  胴部
９  筒状脚部
１０  支持台部
１１  底板
１２  支持枠部
１３  収納口
１４  支持枠片
１５  掛止段部
１６  引き抜き用摘まみ部
１７  板状体
１８  滑り止め用掛止部
１９  筒壁部
２０  開口端
２１  注出ポンプ
２２  筒状シリンダ部
２３  注出ノズル
２４  吸い込み管
２５  天板部
【図１】
2020029276.tif 000003
【図２】
2020029276.tif 000004
【図３】
2020029276.tif 000005
【図４】
2020029276.tif 000006